(57)【要約】      （修正有）【課題】構造が簡単で、使用する時、薬剤の燃え煙が、有効に集中される薫灸器を提供する。【解決手段】鐘形主体と、底座と、ステンレス隔離網とが含有され、鐘形主体は上下にそれぞれ開口が形成され、上開口には、複数の挟みシートが設けられ、各挟みシートのもう一端が主体の内部へ伸ばし、燃焼する薬材が挟みシート同士によって挟まれ、主体の下方に複数の通気穴が設けられ、各通気穴は上へ向かう角度で斜めに主体の表面に貫設され、底座は上記の主体を放置するためのもので、ステンレス隔離網は底座の上に位置付けられ、主体内において燃焼した薬材による灰燼を隔離するためのものである。【選択図】図１
0003120464.tif 000002
【実用新案登録請求の範囲】
【請求項１】
上、下に、それぞれ、開口が形成され、上開口に、複数の挟みシートが設けられ、各挟みシートのもう一端が主体の内部へ伸ばし、燃焼する薬材が、挟みシート同士によって挟まれ、下方に、複数の通気穴が設けられ、各通気穴が、上へ向かう角度で斜めに主体の表面に貫設される鐘形主体と、
上記の主体を放置するための底座と、
底座の上に設置され、主体内において燃焼した薬材による灰燼を隔離するステンレス隔離網と、
が含有される
ことを特徴とする薫灸器。
【請求項２】
当該底座には、ステンレス隔離網を水平に放置するための凸縁が設けられることを特徴とする請求項１に記載の薫灸器。
【請求項３】
当該主体の上方には、更に、少なくとも一つの主体の内部を観察するための窓が設けられることを特徴とする請求項１に記載の薫灸器。
【請求項４】
当該窓は、ガラス窓であることを特徴とする請求項３に記載の薫灸器。
【請求項５】
当該鐘形主体の下開口には、ステンレス隔離網と互いに吸引するための複数の磁石が設けられることを特徴とする請求項１に記載の薫灸器。
【考案の詳細な説明】
【技術分野】
【０００１】
本考案は、薫灸器に関し、特に、構造が簡単で、使用する時、薬材の燃え煙が、有効に集中される薫灸器であり、民俗療法において、人体の臍や他の部位に対して煙薫することに適用されるものに関する。
【背景技術】
【０００２】
近年、臍を煙薫することによる肥満減量は、マスコミによって、大量に報導された後、僅かの時間で、流行ってきたが、臍を煙薫することによる療法は、薫灸療法の一つであり、臍の他に、体にある様々の部位に対して温灸することにより、異なる治療効果が得られる。
【０００３】
臍を煙薫することによる療法を例として、針灸の原理で、臍の近くにある穴道に対して針灸するものであり、臍を煙薫することは、灸法の一つであり、漢方医学の外部療法に属し、晉朝医書《肘後備急方》に記載され、臍部に対して、即ち、神闕穴に対して、漢方薬を利用して、充填や敷き、貼り、灸、アイロン、煙薫、洗い或いは蒸し等のことにより、例えば、急性下痢や赤痢、手足が寒い或いは虚脱等の症候が改善される。
【０００４】
従来の薫灸療法に使用される薫灸器は、煙草のような細長いものを、管体の中に挿入し、燃え煙の熱さと香り度により、臍に対して煙薫する。当該薫灸器の底部に、気体が流通するための複数の穴が設けられ、また、底面に網体が設けられる。
【０００５】
しかし、従来の薫灸器を使用する時、以下の問題点がある。
【０００６】
１、穴が水平に薫灸器の上に貫設されるため、燃え煙が穴から抜けられ、有効に集中できない。
【０００７】
２、従来の薫灸器には、取っ手が設けられ、使用する時、挟み保持装置で、当該取っ手を安定的に保持してから、薫灸を行い、そのため、実用上、不便であり、また、挟み保持装置があるため、余計に空間が取られる。
【０００８】
３、使用する時、底部に設置される金属材料である網体が、直接に人体に接触するため、熱伝導による人体にやけどが発生する恐れがあり、また、長時間使用後、錆びの問題もあり、そして、当該網体が、直接に灸薫器の底部に粘着されるか、他の方式にロックされるため、使用後の清潔が容易ではなく、全体としての構造設計は、十分とは言えない。
【０００９】
本考案者は、上記の問題点を解消するために、慎重に研究して、既存の構造にある問題を解消できる薫灸器を提案した。
【考案の開示】
【考案が解決しようとする課題】
【００１０】
本考案の主な目的は、構造が簡単で、使用する時、薬材の燃え煙が、有効に集中される薫灸器を提供する。
【課題を解決するための手段】
【００１１】
本考案は、上記の目的を達成するため、鐘形主体と、底座と、ステンレス隔離網とが含有され、当該鐘形主体において、上、下に、それぞれ、開口が形成され、上開口に、複数の挟みシートが設けられ、各挟みシートのもう一端が主体の内部へ伸ばし、燃焼する薬材が、挟みシート同士によって挟まれ、当該主体の下方に、複数の通気穴が設けられ、各通気穴が、上へ向かう角度で、斜めに主体の表面に貫設され、当該底座が、上記の主体を放置するためのもので、当該ステンレス隔離網が、底座の上に位置付けられ、主体内において燃焼した薬材による灰燼を隔離するためのものである薫灸器である。
【考案を実施するための最良の形態】
【００１２】
図１〜３は、本考案に係わる薫灸器の一実施例であり、鐘形主体１と、底座２と、ステンレス隔離網３とからなる。
【００１３】
当該鐘形主体１は、上、下に、それぞれ、開口１１、１２があり、上開口１１に、複数の挟みシート１３が設けられ、各挟みシート１３のもう一端が、主体１の内部へ伸ばし、燃焼する薬材４が、挟みシート１３同士によって挟まれ、当該主体１の下方に、複数の通気穴１４が設けられ、各通気穴１４が、上へ向かう角度で、斜めに主体１の表面に貫設され、また、当該主体１の上方に、更に、少なくとも一つの主体１の内部を観察するためのガラス窓１５を設けても良い。当該底座２が、上記の主体１を放置するためのもので、当該ステンレス隔離網３が、底座２の上に位置付けられ、主体１内において燃焼した薬材４による灰燼を隔離するためのものである。
【００１４】
使用する時、図２〜４のように、まず、薬材４の底部を点火してから、鐘形主体１の上開口１１から挿入し、また、上開口１１に複数の挟みシート１３が設けられて、各挟みシート１３のもう一端が主体１の内部へ伸ばすため、当該薬材４は、挟みシート１３同士によって挟まれ、そして、主体１を底座２の上に設置し、当該ステンレス隔離網３が、主体１と底座２との間に介在し、最後に、全体を、臍や体の他の部位に放置するだけで良く、また、ユーザーや医療者は、主体１の表面に設けられるガラス窓１５を介して、主体１の内部において、薬材４の燃焼状態を、ハッキリに確認でき、また、薬材４の燃焼による薫煙や熱気により、主体１の内において、熱対流が発生して、療法の効果が向上される。
【００１５】
また、本考案は、鐘形主体１の下開口１２に、ステンレス隔離網３と互い吸引するための複数の磁石１６(図に未表示)が設けられても良く、これにより、当該隔離網３と底座２が、主体１の下開口１２に吸着される。
【００１６】
本考案は、次の利点が得られる。
【００１７】
１、本考案によれば、通気穴が、上へ向かう角度で斜めに主体の表面に貫設されるため、薬材が燃焼することによる発生する燃え煙が、主体内に滞在する時間が延長される。
【００１８】
２、本考案によれば、ステンレス材質である隔離網を利用するため、錆びの問題が解消されることだけでなく、水平に底座と主体との間に介在するため、体に対するやけどの問題も解消され、また、全体の設計として、使用後の清潔も非常に便利である。
【００１９】
３、本考案によれば、主体の表面に、ガラス窓が設けられるため、ユーザーや医療者は、当該ガラス窓を介して、主体の内部において、薬材の燃焼状態を、ハッキリに確認できる。
【００２０】
４、本考案によれば、全体の設計に取っ手を省略されるため、空間の節約ができ、また、大型化できるため、大きい面積の部位に対する煙薫ができ、そして、使用上、より安定的である。
【００２１】
以上は、ただ、本考案のより良い実施形態であり、本考案に係わる実用新案登録請求の範囲は、それによって制限されず、本技術を良く分かる熟練者であれば、色々の変更や修正が、簡単に実現でき、その変更や修正は、全てが本考案に係わる実用新案登録請求の範囲に含まれる。
【００２２】
上記のように、本考案は、予期の目的を達成できる実用的な薫灸器であるため、法に従って実用新案登録請求を出願する。
【図面の簡単な説明】
【００２３】
【図１】本考案に係わる実施例の立体外観の分解図
【図２】本考案に係わる実施例の結合後の立体外観図
【図３】本考案に係わる実施例の結合後の断面図
【図４】本考案に係わる実施例の使用状態の概念図
【符号の説明】
【００２４】
１    主体
１１    上開口
１２    下開口
１３    挟みシート
１４    通気穴
１５    ガラス窓
１６    磁石
２    底座
３    ステンレス隔離網
４    薬材
【図１】
0003120464.tif 000003
【図２】
0003120464.tif 000004
【図３】
0003120464.tif 000005
【図４】
0003120464.tif 000006